(57)【要約】【課題】履き易く、脱ぎ易く、しかも軽い作業用安全靴を提供する。【解決手段】靴底１と中底２と甲被部３とからなり、甲被部３の爪先被い部分１４に爪先保護芯５を内装し、甲被部３の履き口６に連通開口する甲開き部４を締付手段８で締め付けるようにした作業用安全靴において、爪先保護芯５をプラスチックによって形成し、甲被部３の踵被い部分１３は、着用者の踵Ａをその高さＨの半分程度しか覆わないように低く形成し、締付手段８はストラップ１７からなるもので、甲開き部４を挟んでその一方側にストラップ１７の一端部を固着し、ストラップ１７の他端部には係止布１８を取り付け、これを、甲開き部４の他方側に取り付けた係止布１９に対し係脱自在に取り付ける。【選択図】図５
2006116076.tif 000002
【特許請求の範囲】
【請求項１】
靴底と中底と甲被部とからなり、甲被部の爪先被い部分に爪先保護芯を内装し、甲被部の履き口に連通開口する甲開き部を締付手段によって締め付けるようにした作業用安全靴において、
爪先保護芯をプラスチックによって形成し、甲被部の踵被い部分は、着用者の踵をその高さの半分程度しか覆わないように低く形成し、締付手段はストラップからなるもので、甲開き部を挟んでその一方側にストラップの一端部を固着し、ストラップの他端部には係止布を取り付け、これを、甲開き部の他方側に取り付けた係止布に対し係脱自在に取り付けるようにしたことを特徴とする作業用安全靴。
【請求項２】
締付手段は、一対のストラップをＸ字状に交差させてその交差部を固定したものからなり、両ストラップの夫々前端部は甲開き部を挟んでその両側前方部に固着し、両ストラップの後端部には夫々の裏面側に係止布を取り付けて、両係止布を、甲開き部の両側後方部に取り付けた係止布に着脱自在に取り付けるようにしたことを特徴とする請求項１に記載の作業用安全靴。
【請求項３】
Ｘ字状に交差させた一対のストラップの各ストラップは、交差部の位置が甲開き部の履き口側寄りに位置するように湾曲状に形成してなることを特徴とする請求項２に記載の作業用安全靴。
【請求項４】
Ｘ字状に交差させた一対のストラップの各ストラップの前端部は、甲被部前部側へ凸形となる湾曲状に形成してなることを特徴とする請求項２又は３に記載の作業用安全靴。
【請求項５】
甲開き部の前端部裏面側に一端部が取り付けられた舌片は、甲開き部の開口周縁部と舌片上面との間に介装したゴムバンドにより、甲開き部を常時その下側から塞ぐ位置に保持するようにしたことを特徴とする請求項１〜４の何れかに記載の作業用安全靴。
【請求項６】
靴底の上面側には踵部側と爪先部側とに衝撃緩衝部材を取り付けたことを特徴とする請求項１〜５の何れかに記載の作業用安全靴。
【請求項７】
甲被部にはその前部側所要部に複数の空気流通孔を設けたことを特徴とする請求項１〜６の何れかに記載の作業用安全靴。
【発明の詳細な説明】
【技術分野】
【０００１】
本発明は、引っ越し業者や運送業者あるいはイベント設営業者または食品配達業者等のように作業上の安全と共に、作業時に安全靴の着脱の機会が多い作業をを行う人が着用する作業用安全靴に関する。
【背景技術】
【０００２】
この種の作業用安全靴は、靴底と中底と甲被部とからなるもので、甲被部の爪先被い部分に爪先保護芯が内装されており、そして甲被部の履き口に連通開口する甲開き部を締付手段によって締め付けることにより、甲被部を着用者の足に安定状態に保持させている。従来におけるこの種の作業用安全靴として、特許公報等の公知文献を具体的に挙げることはできないが、従来の安全靴では、爪先保護芯が鋼板等の分厚い金属板により形成されており、また甲被部の踵被い部分が、普通一般に使用される靴と同様に、着用者の踵を全面的に覆うように形成されていると共に、甲開き部を締め付ける締付手段が、甲開き部間に掛け渡される紐状体からなっている。
【発明の開示】
【発明が解決しようとする課題】
【０００３】
上記のように従来の作業用安全靴は、爪先保護芯が金属板で形成され、しかもこの金属板製の爪先保護芯を十分に被覆するように甲被部が厚く形成されているから、安全靴全体の重さが非常に重くなる一方、甲被部の踵被い部分が普通の靴と同じく着用者の踵を全面的に覆うように高く形成されていると共に、締付手段が甲開き部間に掛け渡される紐状体からなるため、履き難く脱ぎ難くなっている。従って、例えば引っ越し作業の作業者のように靴を頻繁に脱いだり履いたりする作業の作業者は、そのような安全靴を履かずに、つっかけ風の靴や、普通の運動靴の踵部分を潰したものを履くことが多く、そのため作業の安全性を確保できなかった。また、この種の作業者は、車のドライバーも兼ねる場合がほとんどで、しかして作業中は安全靴を履き、運転する時には、運転のし易い普通の靴に履き替えるようにするため、作業用と運転用との２種類の靴を用意する必要があり、不経済であった。
【０００４】
本発明は、従来技術における上記のような問題点に鑑み、履き易く、脱ぎ易く、しかも軽くて、作業だけでなく車の運転もし易くするようにした作業用安全靴を提供することを目的とする。
【課題を解決するための手段】
【０００５】
上記課題を解決するための手段を、後述する実施形態の参照符号を付して説明すると、請求項１に係る発明は、靴底１と中底２と甲被部３とからなり、甲被部３の爪先被い部分１４に爪先保護芯５を内装し、甲被部３の履き口６に連通開口する甲開き部４を締付手段８によって締め付けるようにした作業用安全靴において、爪先保護芯５をプラスチックによって形成し、甲被部３の踵被い部分１３は、着用者の踵Ａをその高さＨの半分程度しか覆わないように低く形成し、締付手段８はストラップ１７からなるもので、甲開き部４を挟んでその一方側にストラップ１７の一端部を固着し、ストラップ１７の他端部には係止布１８を取り付け、これを、甲開き部４の他方側に取り付けた係止布１９に対し係脱自在に取り付けるようにしたことを特徴とする。ここで、着用者の足７の踵Ａをその高さＨの半分程度しか覆わないように甲被部３の踵被い部分１３を低く形成したのは、甲被部３の踵被い部分１３は、着用者の足７の踵Ａの高さＨに近づくように高くする程、踵Ａを覆う部分が多くなって、履き難く、脱ぎ難くなり、また着用者の足７の踵Ａの高さＨの半分よりも低くすると、図５から分かるように、足７の踵Ａに僅かしか覆わなくなるから、締付手段８によって甲開き部４を十分に締め付けても、足７の踵Ａが抜け易く、不安定となることから、踵Ａの高さＨの半分程度が最も履き易く、脱ぎ易いからである。
【０００６】
請求項２は、請求項１に記載の作業用安全靴において、締付手段８は、一対のストラップ１７，１７をＸ字状に交差させてその交差部１７ｏを固定したものからなり、両ストラップ１７，１７の夫々前端部１７ａ，１７ａは甲開き部４を挟んでその両側前方部に固着し、両ストラップ１７，１７の後端部１７ｂ，１７ｂには夫々の裏面側に係止布１８，１８を取り付けて、両係止布１８，１８を、甲開き部４の両側後方部に取り付けた係止布１９，１９に着脱自在に取り付けるようにしたことを特徴とする。
【０００７】
請求項３は、請求項２に記載の作業用安全靴において、Ｘ字状に交差させた一対のストラップ１７，１７の各ストラップ１７は、交差部１７ｏの位置が甲開き部４の履き口６側寄りに位置するように湾曲状に形成してなることを特徴とする。
【０００８】
請求項４は、請求項２又は３に記載の作業用安全靴において、Ｘ字状に交差させた一対のストラップ１７，１７の各ストラップ１７の前端部１７ａは、甲被部前部側へ凸形となる湾曲状に形成してなることを特徴とする。
【０００９】
請求項５は、請求項１〜４の何れかに記載の作業用安全靴において、甲開き部４の前端部裏面側に一端部が取り付けられた舌片９は、甲開き部４の開口周縁部と舌片９上面との間に介装したゴムバンド２０，２１により、甲開き部４を常時その下側から塞ぐ位置に保持するようにしたことを特徴とする。
【００１０】
請求項６は、請求項１〜５の何れかに記載の作業用安全靴において、靴底１の上面側には踵部側と爪先部側とに衝撃緩衝部材１１，１２を取り付けたことを特徴とする。
【００１１】
請求項７は、請求項１〜６の何れかに記載の作業用安全靴において、甲被部３にはその前部側所要部に複数の空気流通孔２２を設けたことを特徴とする。
【発明の効果】
【００１２】
上記解決手段による発明の効果を、後述する実施形態の参照符号を付して説明すると、請求項１に係る発明によれば、甲被部３の踵被い部分１３は、着用者の踵Ａをその高さＨの半分程度しか覆わないように低く形成し、締付手段８はストラップ１７からなるもので、甲開き部４を挟んでその一方側にストラップ１７の一端部を固着し、ストラップ１７の他端部には係止布１８を取り付け、これを、甲開き部４の他方側に取り付けた係止布１９に対し係脱自在に取り付けるようにしたから、安全靴が履き易く、脱ぎ易くなり、従って、例えば引っ越し作業の作業者のように靴を頻繁に脱いだり履いたりする作業の作業者にとってはきわめて有用である。そして、爪先保護芯５が十分な強度を有するプラスチックによって形成されているから、爪先保護芯が金属材からなる作業用安全靴に比べて重量が遥かに軽く、従って車のドライバーを兼ねたこの種の作業者にあっては、運転用と作業用との２種類の靴を容易する必要がなく、この発明の１種類の作業用安全靴で済むことになり、非常に経済的であると共に使用上非常に便利である。
【００１３】
請求項２に係る発明によれば、甲開き部４に対し一対のストラップ１７，１７がＸ字状に掛け渡されるから、着用者の足甲部に圧迫感を与えることなく、甲開き部４を十分に締め付けることができる。
【００１４】
請求項３に係る発明によれば、Ｘ字状に交差させた一対のストラップ１７，１７の各ストラップ１７を、交差部１７ｏの位置が甲開き部４の履き口６側寄りに位置するように湾曲状に形成したことにより、甲開き部４を有効に締め付けることができて、甲被部３を着用者の足に確実に固定させることができる。
【００１５】
請求項４に係る発明によれば、Ｘ字状に交差させた一対のストラップ１７，１７の各ストラップ１７の前端部１７ａを甲被部前部側へ凸形となる湾曲状に形成したことにより、甲開き部４を上から押さえ付けて両ストラップ１７，１７で締め付ける時に、当該前端部１７ａが甲被部３の湾曲状外面に沿って湾曲状に変形して、外観上の体裁、見栄えが良くなる。
【００１６】
請求項５に係る発明によれば、舌片９を、甲開き部４の開口周縁部と舌片９上面との間に介装したゴムバンド２０，２１により、甲開き部４を常時その下側から塞ぐ位置に保持するようにしたから、安全靴を履く時には舌片９をいちいち手で持ち上げる必要がなく、履き易くなる。
【００１７】
請求項６に係る発明によれば、作業中に靴底１の上面側において最も荷重の集中する踵部側と爪先部側とに衝撃緩衝部材１１，１２を取り付けているから、足の踵部及び爪先部が受ける衝撃が緩和されて、足を痛めるようなことがなく、作業もし易くなる。
【００１８】
請求項７に係る発明によれば、甲被部３に複数の空気流通孔２２を設けているから、甲被部３の内部と外部との空気の流通を促し、足の蒸れを少なくすることができる。
【発明を実施するための最良の形態】
【００１９】
以下に本発明の好適実施形態を図面に基づいて説明すると、図１は本発明に係る作業用安全靴を示す斜視図、図２は側面図、図３は平面図、図４の(a) は正面図、(b) は背面図である。また図５は同作業用安全靴の縦断側面図、図６の(a) は図５のＸ−Ｘ線断面図、(b) は図５のＹ−Ｙ線断面図である。この作業用安全靴は、靴底１と、中底２と、甲被部３とからなるもので、甲被部３の爪先被い部分１４には爪先保護芯５が内装されており、甲被部３の履き口６にはその前端側に連通開口する甲開き部４が設けられ、この甲開き部４が締付手段８により締め付けられることによって、甲被部３が着用者の足に安定状態に保持固定されるようになっている。これらの図において、９は甲開き部４をその下側から塞ぐ舌片である。
【００２０】
上記作業用安全靴の構造について更に詳しく説明すれば、靴底１は、やや硬めのポリウレタンによって形成されたもので、図１に示すように、この靴底１の上面には踵部側及び爪先部側に、重量の軽減化を図るための空所１ａ，１ｂが夫々複数形成され、またこれらの空所１０，１０が形成された靴底上面側の踵部側及び爪先部側には衝撃緩衝部材１１，１２が取り付けられている。衝撃緩衝部材１１，１２は、靴底１を形成するポリウレタンよりも十分に柔らかく且つ弾性のある高分子材料によって形成されている。また靴底１の下面には滑り止め用の凹溝１ａが多数条設されている。
【００２１】
中底２は、厚地の布材によって形成されたもので、靴底１の上面を全面的に覆うように靴底１及び衝撃緩衝部材１１，１２の上面に接着剤によって接着されている。尚、この中底２には、発泡ポリウレタンや発泡ＥＶＡ（エチレン−酢酸ビニル共重合体）等によって形成された中敷２３が着脱自在に載置されるようになっている。
【００２２】
甲被部３は、図２から分かるように、踵被い部分１３と、爪先被い部分１４と、これら両部分１３，１４の中間に形成される中間被い部分１５とからなるもので、甲被部３の踵被い部分１３は、図５に示すように、着用者の足７の踵Ａをその高さＨの半分（Ｈ／２）程度しか覆わないように低く形成されている。このように甲被部３の踵被い部分１３の高さを極力低くすることによって、作業用安全靴を履き易く、脱ぎ易くしたものである。
【００２３】
甲被部３の爪先被い部分１４に内装された爪先保護芯５は、ＦＲＰ（ガラス繊維強化プラスチック）によって形成されたもので、日本工業規格による安全靴の安全性能試験の性能基準値を満たす十分な強度を有している。爪先被い部分１４は、図５及び図６の(a) に示すように、合成皮革からなる外被材１４ａと、スポンジ等のクッション材を備えた布材からなる内被材１４ｂとによって構成され、これら外被材１４ａと内被材１４ｂとの間に爪先保護芯５が介挿されている。
【００２４】
踵被い部分１３は、図５及び図６の(b) に示すように、合成皮革及び布材からなる外被材１３ａ，１３ｂと、布材からなる内被材１３ｃとによって構成され、外被材１３ｂと内被材１３ｃとの間にはその上半部側に、スポンジ等のクッション材１３ｄが介挿されている。中間被い部分１５は、図示は省略するが、踵被い部分１３とほとんど同様な構成からなる。また踵被い部分１３の上端中央部には、この安全靴を履く時に踵被い部分１３を持ち上げるための、帯び状布片からなる把手１６が取り付けてある。
【００２５】
甲開き部４を締め付ける締付手段８は、夫々合成皮革で帯状に形成した一対のストラップ１７，１７をＸ字状に交差させてその交差部１７ｏを縫着により固定してなるもので、図７から分かるように、Ｘ字状ストラップ１７，１７の夫々前端部１７ａ，１７ａは甲開き部４を挟んでその両側前方部の下側に固着し、そしてＸ字状ストラップ１７，１７の後端部１７ｂ，１７ｂには夫々の裏面側に係止布１８を取り付けて、両係止布１８，１８を、甲開き部４の両側後方部の夫々下側に取り付けた係止布１９，１９に着脱自在に取り付けるようにしている。この場合、ストラップ１７側の係止布１８は、甲被部３側の係止布１９よりも長く形成されていて、所要の締付位置で係止布１９に係止して固定できるようになっている。尚、これらの各係止布１８，１９は、マジックテープ（登録商標名）からなるものである。
【００２６】
上記のようにＸ字状に交差させた一対のストラップ１７，１７の各ストラップ１７は、図９から分かるように、交差部１７ｏの位置が甲開き部４の履き口６側寄りに位置するように湾曲状に形成されている。即ち、この一対のストラップ１７，１７は、安全靴を履く時に甲開き部４の対向端部を互いに対向方向に引き寄せた状態で甲開き部４を上から押さえ付けるようにして締め付けるものであって、その交差部１７ｏは、図９の実線図示のように甲開き部４の前後方向中央部よりも履き口６側に寄った位置にある方が、甲開き部４を有効に締め付けることができて、甲被部３を着用者の足に確実に固定できることになるが、同図の仮想線図示のように、各ストラップ１７が直線状に形成されていて両直線状ストラップ１７，１７がＸ字状に交差する場合には、その交差部１７ｏの位置が甲開き部４の中央部ないし前部側に位置することになって、甲開き部４の締め付け状態が悪くなり、甲被部３を着用者の足に確実に固定できなくなるからである。
【００２７】
また、Ｘ字状に交差させた一対のストラップ１７，１７の各ストラップ１７の前端部１７ａ（甲被部３に取り付けられる取付側の端部）は、図２及び図９から分かるように甲被部３の前部側へ凸形となる湾曲状に形成されている。これは、各ストラップ１７の前端部１７ａが上記のように凸形湾曲状に形成されずに図９の仮想線図示のように直線状であれば、安全靴を履く時に甲開き部４を上から押さえ付けながらストラップ１７，１７で締め付けると、このストラップ１７の前端部１７ａに皺ができて、外観を損なうことになるからである。そこで、各ストラップ１７の前端部１７ａを甲被部３の前部側へ凸形となる湾曲状に形成することによって、甲開き部４を上から押さえ付けてストラップ１７，１７で締め付ける時に、当該前端部１７ａが甲被部３の湾曲状外面に沿って湾曲状に変形して、外観上の体裁、見栄えが良くなる。
【００２８】
また、舌片９は、図５に示すように、袋状の外被部材９ａとこの中に介挿されたスポンジ等からなる内挿材９ｂとによって形成され、その一端部９ａが甲開き部４の前端部裏面側に取り付けられているが、舌片９全体としては、図７及び図８に示すように、この舌片９の上面と甲開き部４の開口周縁部との間に介装された縦横のゴムバンド２０，２１により、甲開き部４を常時その下側から塞ぐ位置に保持されている。このように舌片９をゴムバンド２０，２１によって甲開き部４を常時その下側から塞ぐ位置に保持するのは、この安全靴を履く時に舌片９をいちいち手で持ち上げる必要がなく、履き易くするためである。因みに、従来の作業用安全靴では、舌片が中底まで垂れ下がった状態にあるため、靴を履く時にはその舌片を手で持ち上げておく必要があり、手間がかかって煩わしく、速やかに履けないことになる。
【００２９】
図７及び図８に示すように、縦のゴムバンド２０は、甲開き部４の中央に縦に配置されていて、一端部が甲被部３側に取り付けられ、他端部が舌片９の上面後端部に取り付けられている。横のゴムバンド２１は、縦のゴムバンド２０をスライド自在に貫通するように甲開き部４内に２つ配置されていて、各横のゴムバンド２１の両端部は甲開き部４の対向端部に取着されている。また、縦ゴムバンド２０にはその２箇所に、横ゴムバンド２１をスライド自在に挿通する挿通部２０ａ，２０ａが形成されていて、これら挿通部２０ａ，２０ａに２本の横ゴムバンド２１，２１が挿通されている。
【００３０】
上記のように、舌片９が縦横のゴムバンド２０，２１で甲開き部４を常時その下側から塞ぐ位置に保持されているから、安全靴を履く時は舌片９をいちいち手で持ち上げる必要がなく、そのままの状態で靴が簡単用意に履け、また締付手段８で甲開き部４を締め付ける時には、その締め付け具合に応じて舌片９が甲開き部４に対し適宜にスライドし、甲開き部４をその下側から的確に塞ぐことができる。
【００３１】
また、甲被部３の中間被い部分１５には、図８の(a) に示すように、ストラップ１７の取付側端部１７ａの裏面側位置に空気流通孔２２が複数設けられている。この空気流通孔２２は、同図の(b) に示すように、甲被部３の中間被い部分１５を貫通する貫通孔２２ａにリング２２ｂを嵌合し、このリング２２ｂに塵除け用の網２２ｃを張ったもので、甲被部３の内部と外部との空気の流通を促し、足の蒸れを少なくすることができる。また、この空気流通孔２２は、塵除け用の網２２ｃを有すると共に、ストラップ１７の取付側端部１７ａの裏面側に位置するため、塵の侵入を防止できると共に、雨天等には雨水等の侵入を防止できる。
【００３２】
上述のように構成される作業用安全靴を履く時は、図１〜図４に示すような状態から、締付手段８としてのＸ字状ストラップ１７，１７の後端部１７ｂ，１７ｂ裏面に取り付けてある係止布１８，１８を、甲被部３の両側にある係止布１９，１９から引き剥がして、甲開き部４を緩め、しかして着用者の足７を履き口６から甲被部３の中に挿入した後、Ｘ字状ストラップ１７，１７を甲開き部４から舌片９に押し付けるようにして、ストラップ１７，１７側の係止布１８，１８を甲被部３側の係止布１９，１９に所要締付位置で係止させればよい。この安全靴を脱ぐ時は、例えば、いま着用者の右足７に図５に示すように安全靴を履いているものとして、これを脱ぐには、図５に示す状態から踵Ａを上げて爪先立つようにし、しかして反対側の左足の爪先部を靴底１の後端部に添えた状態で右足７を引き上げれば、そのまま簡単容易に脱ぐことができる。
【００３３】
この作業用安全靴は、前述したように、甲被部３の踵被い部分１３が、着用者の足７の踵Ａをその高さＨの半分（Ｈ／２）程度しか覆わないように低く形成されていると共に、締付手段８が、一端側を甲被部３に固着したストラップ１７からなるもので、このストラップ１７の他端側に取り付けた係止布１８を、甲被部３側に取り付けた係止布１９に係止させるようになっているから、上記のように迅速容易に履くことができるし、迅速容易に脱ぐことができる。従って、例えば引っ越し作業の作業者のように靴を頻繁に脱いだり履いたりする作業の作業者にとっては非常に有用となる。この場合、着用者の足７の踵Ａをその高さＨの半分程度しか覆わないように甲被部３の踵被い部分１３を低く形成したのは、甲被部３の踵被い部分１３は、着用者の足７の踵Ａの高さＨに近づくように高くする程、履き難く、脱ぎ難くなり、また着用者の足７の踵Ａの高さＨの半分よりも低くすると、図５から分かるように、足７の踵Ａに僅かしか係合しなくなるから、締付手段８によって甲開き部４を十分に締め付けても足７の踵Ａが抜け易く、不安定となることから、踵Ａの高さＨの半分程度が最も履き易く、脱ぎ易いからである。
【００３４】
また、この作業用安全靴の大きな特徴は、爪先保護芯５が十分な強度を有するガラス繊維強化プラスチックによって形成されているため、爪先保護芯が金属材からなる作業用安全靴に比べて重量が遥かに軽く、従って車のドライバーを兼ねたこの種の作業者にあっては、運転用と作業用との２種類の靴を容易する必要がなく、この発明に係る１種類の作業用安全靴で済むことになり、非常に経済的であると共に、使用上極めて有利である。
【００３５】
また、この実施形態の締付手段８は、一対のストラップ１７，１７をＸ字状に交差させてその交差部１７ｏを固定したものからなり、両ストラップ１７，１７の夫々前端部１７ａ，１７ａは甲開き部４を挟んでその両側前方部に固着し、両ストラップ１７，１７の後端部１７ｂ，１７ｂには夫々の裏面側に係止布１８，１８を取り付けて、両係止布１８，１８を、甲開き部４の両側後方部に取り付けた係止布１９，１９に着脱自在に取り付けるようにしたもので、甲開き部４に対し一対のストラップ１７，１７がＸ字状に掛け渡されるから、着用者の足甲部に圧迫感を与えることなく、甲開き部４を十分に締め付けることができる。
【００３６】
このような一対のストラップ１７，１７をＸ字状に交差させたものに代えて、例えば１枚の矩形状ストラップを用い、甲開き部を挟んでその一方側にこの矩形状ストラップの一端部を固着し、矩形状ストラップの他端部には係止布を取り付けて、これを、甲開き部の他方側に取り付けた係止布に対し係脱自在に取り付けるようにしてもよい。
【００３７】
また、上述した実施形態の作業用安全靴では、甲被部３の所要部に、夜間等の暗い時に光を発生する蛍光部２４が、装飾模様を兼ねた種々の湾曲線状に設けられている。この蛍光部２４は、蛍光染料によって染めた布地を縁縫いすることによって形成されている。このような蛍光部２４を設けたことによって、夜間等の暗い場所で安全靴を履いたり、脱いだりするのが容易となる。
【図面の簡単な説明】
【００３８】
【図１】本発明に係る作業用安全靴を示す斜視図である。
【図２】同作業用安全靴の側面図である。
【図３】同作業用安全靴の平面図である。
【図４】同作業用安全靴の(a) は正面図、(b) は背面図である。
【図５】同作業用安全靴の縦断側面図である。
【図６】(a) は図５のＸ−Ｘ線断面図、(b) は図５のＹ−Ｙ線断面図である。
【図７】締付手段としてのＸ字状ストラップの後端部側を外して前方側へ捲りあげた状態を示す斜視図である。
【図８】(a) は図７のようにＸ字状ストラップの後端部側を外して前方側へ捲りあげた状態の平面図、(b) は空気流通孔を示す拡大縦断面図である。
【図９】締付手段としてのＸ字状ストラップを展開した状態の平面図である。
【符号の説明】
【００３９】
１          靴底
２          中底
３          甲被部
４          甲開き部
５          爪先保護芯
６          履き口
７          着用者の足
Ａ          足の踵
８          締付手段
９          舌片
１１，１２  衝撃緩衝部材
１７        ストラップ
１８，１９  係止布
２０，２１  ゴムバンド
２２        空気流通孔
【図１】
2006116076.tif 000003
【図２】
2006116076.tif 000004
【図３】
2006116076.tif 000005
【図４】
2006116076.tif 000006
【図５】
2006116076.tif 000007
【図６】
2006116076.tif 000008
【図７】
2006116076.tif 000009
【図８】
2006116076.tif 000010
【図９】
2006116076.tif 000011